(57)【特許請求の範囲】
【請求項１】
戸枠の内側に通路部と建具とが横方向に並設され、吊り戸本体が通路部と建具前方との間で横方向に移動自在とされた吊り戸ユニットであって、上端部が上レールに吊り下げられた吊り戸本体の下端部に振れ止め用のガイドバーの一端側を取り付け、ガイドバーの他端側を吊り戸本体の下端部における戸当たり面側と反対側の側端面から吊り戸本体の横幅と略同じ寸法で突出させると共に、このガイドバーの突出部分を建具側に設置された下ガイドレールにスライド自在に挿入してなることを特徴とする吊り戸ユニットのガイド構造。
【請求項２】
吊り戸本体を開いた位置でガイドバーの先端が戸枠の戸当たり側と反対側の縦枠部に当接するように構成されていることを特徴とする請求項１記載の吊り戸ユニットのガイド構造。
【請求項３】
吊り戸本体の下端部にガイド体を取り付け、このガイド体を下ガイドレールと並設された別の下レールにスライド自在に挿入したことを特徴とする請求項１又は請求項２記載の吊り戸ユニットのガイド構造。
【発明の詳細な説明】
【０００１】
【発明の属する技術分野】
本発明は、吊り戸ユニットのガイド構造に関し、詳しくは上端部が上レールに吊り下げられた吊り戸本体の下端部をガイドする構造に関するものである。
【０００２】
【従来の技術】
従来より、図７に示すように、戸枠６の内側に通路部３５とキャビネット２０とが横方向に並設され、吊り戸本体２が通路部３５とキャビネット２０前方との間で横方向に移動自在とされた吊り戸ユニット１’が知られている。この吊り戸本体２の下端部には、ガイド体７が取り付けられており、吊り戸本体２を開いたときにガイド体７がキャビネット２０側に設けられた下レール８に沿ってガイドされるようになっている。このガイド体７は、図８に示すように、吊り戸本体２の下端部に取り付けたガイドプレート１０の先端に上方に向かって突設されており、キャビネット２０の地板２１の下面に固定した断面逆Ｕ字状の下レール８に下方から嵌め込まれてスライド自在にガイドされている。
【０００３】
【発明が解決しようとする課題】
ところが、従来の吊り戸ユニット１’では、下レール８が通路部３５の外側に設置されたキャビネット２０の地板２１の下面に設けられているため、吊り戸本体２を閉じた位置では、図７に示すように、吊り戸本体２の下端部がフリーな状態となる。つまり、下レール８は通路部３５には設けられていないため、通路部３５を吊り戸本体２で遮ったときに吊り戸本体２をガイドするものがなく、このため、特に図７の矢印イで示す吊り戸本体２の戸当たり面２ａ側においてガタツキが大きくなる。このようなガタツキが発生すると、戸枠６の縦枠部６ａと吊り戸本体２の戸当たり面２ａとが擦れて、縦枠部６ａに傷がつくという問題や、ガタツキ音が発生するなどの問題があった。
【０００４】
本発明は、上記の従来例の問題点に鑑みて発明したものであって、その目的とするところは、従来のような吊り戸本体の戸当たり面側でのガタツキを防止でき、戸枠の縦枠部に傷がつくのを防止できると共に、吊り戸本体を補強して開閉動作の円滑化を図ることができる吊り戸ユニットのガイド構造を提供するにあり、他の目的とするところは、吊り戸本体の開き位置を簡単かつ安価に決めることができる吊り戸ユニットのガイド構造を提供するにある。
【０００５】
【課題を解決するための手段】
上記課題を解決するために本発明にあっては、戸枠６の内側に通路部３５と建具とが横方向に並設され、吊り戸本体２が通路部３５と建具前方との間で横方向に移動自在とされた吊り戸ユニットであって、上端部が上レール３に吊り下げられた吊り戸本体２の下端部に振れ止め用のガイドバー４の一端４ａ側を取り付け、ガイドバー４の他端４ｂ側を吊り戸本体２の下端部における戸当たり面２ａ側と反対側の側端面２ｂから吊り戸本体２の横幅Ｂと略同じ寸法で突出させると共に、このガイドバー４の突出部分４ｃを建具側に設置された下ガイドレール５にスライド自在に挿入してなることを特徴としており、このように構成することで、吊り戸本体２を閉じた位置では、ガイドバー４が下ガイドレール５にスライド自在に挿入された状態にあり、しかもガイドバー４の挿入深さは吊り戸本体２の横幅Ｂと略同じ寸法となっているため、吊り戸本体２を閉じた状態でも下ガイドレール５によるガイド機能が発揮され、吊り戸本体２を確実に振れ止めできるようになる。従って、従来のような吊り戸本体２の戸当たり面２ａ側でのガタツキをなくして、戸枠６の縦枠部６ａの傷付きを防止できると共に、ガタツキ音の発生を防止できる。
【０００６】
また上記吊り戸本体２を開いた位置でガイドバー４の先端４ｄが戸枠６の戸当たり側と反対側の縦枠部６ｂに当接するように構成されていることを特徴とするのが好ましく、この場合、吊り戸本体２をその１枚分だけ開く方向に動かすと、ガイドバー４が縦枠部６ｂに当接して吊り戸本体２を開いた位置で保持でき、吊り戸本体２がそれ以上開いてしまうのを防止できるようになる。
【０００７】
また上記吊り戸本体２の下端部にガイド体７を取り付け、このガイド体７を下ガイドレール５と並設された別の下レール８にスライド自在に挿入したことを特徴とするのが好ましく、この場合、ガイドバー４とは別のガイド体７と下ガイドレール５とは別の下レール８とで、吊り戸本体２の振れ止め効果をより高めることができ、吊り戸本体２の開閉動作をより円滑に行えるようになる。
【０００８】
【発明の実施の形態】
以下、本発明を添付図面に示す実施形態に基づいて説明する。
【０００９】
本実施形態の吊り戸ユニット１は、図２に示すように、戸枠６の内側に通路部３５とキャビネット２０とが並んで設置され、通路部３５とキャビネット２０前方との間で吊り戸本体２が横方向に移動して、通路部３５を開閉できるようになっている。なお図２中の３０はキャビネット２０の照明部、３１はミラー部、３２は引き出し部である。
【００１０】
吊り戸本体２はパネル部２ｃと枠部２ｄとからなり、図１に示すように、枠部２ｄの上端部には上ランナー９が取り付けられ、この上ランナー９が戸枠６の上枠部６ｃの全長に亘って設置された上レール３に沿って走行自在に吊り下げ支持されている。
【００１１】
吊り戸本体２の下端部には、ガイドプレート１０が取り付けられている。ガイドプレート１０は、吊り戸本体２の下端部の全幅に亘って設けられており、ネジ１１にて吊り戸本体２の下端部に固定される固定部１２と、固定部１２の後端から下方に垂下した垂下端部１３と、垂下端部１３の下端から後方へ突出したレール取り付け部１４とが一体に形成されている。レール取り付け部１４の上面の前部側（図１の右側）には、吊り戸本体２の幅方向に沿わせて複数のガイド体７が突設されており、各ガイド体７がキャビネット２０の地板２１の下面前側にネジ２３にて固定された断面逆Ｕ字状の下レール８内に下方からスライド自在に挿入されている。
【００１２】
また、上記レール取り付け部１４の上面の後部側（図１の左側）には、複数の連結体１５が上方に突設されており、各連結体１５が図４に示す角パイプ状をした振れ止め用のガイドバー４の底面に設けた開口孔１６に各々嵌め込まれており、これによりガイドバー４はガイドプレート１０に対して固定されている。図４中の１８は、ガイドバー４の端部にキャップ（図示せず）を嵌め込むための孔である。
【００１３】
上記ガイドバー４は、図３に示すように、吊り戸本体２の下端部における戸当たり面２ａ側と反対側の側端面２ｂから水平方向に突出している。図３の例では、吊り戸本体２の横幅Ｂは８００ｍｍ、ガイドバー４の全長Ｃは１６００ｍｍとされ、ガイドバー４の左半分が吊り戸本体２と重なっており、右半分が吊り戸本体２の右側方に向かって突出している。このガイドバー４の突出寸法ｄは、吊り戸本体２を開いた位置でガイドバー４の先端４ｄが戸枠６の戸当たり側と反対側の縦枠部６ｂの下面６ｂ1（図２）に当接するように設定されている。ここにおいて、ガイドバー４は、金属などの剛性材料からなり、吊り戸本体２のガイド機能に加えて、吊り戸本体２を補強する機能も有している。また、吊り戸本体２の横幅Ｂ、ガイドバー４の全長Ｃは上記数値に限定されないものであり、またガイドバー４の突出寸法ｄも、吊り戸本体２の横幅Ｂと正確に同一寸法である必要はなく、吊り戸本体２の横幅Ｂより若干短い場合或いは若干長い場合も含むものである。
【００１４】
上記ガイドバー４の突出部分４ｃは、キャビネット２０側に設置した下ガイドレール５内に挿入されている。下ガイドレール５は、図５に示すように、アルミなどのＬ形アングル材からなり、その水平部５ａがキャビネット２０の地板２１の下面にネジ２３にて固定され、垂直部５ｂがキャビネット２０の台輪２２の前面にネジ２４にて固定されている。水平部５ａの前側下面には、前記ガイド体７（図１）をガイドする下レール８が配置され、ネジ２３にて下ガイドレール５と共に地板２１に固着されている。下レール８の後側片８ａの下縁にはガイドバー４の下面前端を下方から支持する突起部２５が突設されている。さらに突起部２５と対向する台輪２２の前面部分には、ガイドバー４の下面後端を下方から支持するためのフラットバー２６がネジ２４にて固着されている。これら下レール８の後側片８ａとフラットバー２６とで囲まれた下ガイドレール５の内側領域にガイドバー４がスライド自在に挿入されるようになっている。
【００１５】
しかして、吊り戸本体２の下端部に下ガイドレール５にガイドされる振れ止め用のガイドバー４を設けると共に、このガイドバー４を吊り戸本体２の横幅Ｂと略同じ寸法で通路部３５の外側に突出させ、この突出部分４ｃをキャビネット２０の地板２１の下面に設置した下ガイドレール５にスライド自在に挿入したことにより、特に図２の矢印イで示す吊り戸本体２の戸当たり面２ａ側においてガタツキを防止できるようになる。つまり、吊り戸本体２を閉じた位置では、ガイドバー４が下ガイドレール５に挿入された状態にあり、しかもガイドバー４は下レール８の後側片８ａと下ガイドレール５の垂直部５ｂとの間に挟持されており、そのうえガイドバー４の下ガイドレール５への挿入深さを吊り戸本体２の横幅Ｂと略同じ寸法としているため、吊り戸本体２を閉じた状態でも下ガイドレール５によるガイド機能が発揮され、吊り戸本体２を確実に振れ止めできるようになる。従って、従来のような吊り戸本体２の戸当たり面２ａ側でのガタツキを防止できる結果、縦枠部６ａと吊り戸本体２とが擦れて縦枠部６ａに傷がつく心配がなくなると共に、ガタツキ音の発生も防止できる。そのうえ、角パイプからなるガイドバー４によって吊り戸本体２を補強できるようになり、吊り戸本体２の円滑な開閉動作を長期に亘って持続できるようになる。
【００１６】
しかも、吊り戸本体２の下端部にガイドバー４とは別にガイド体７を取り付け、このガイド体７を下ガイドレール５と並設された別の下レール８にスライド自在に挿入してあるので、振れ止め効果を一層高めることができるようになる。なお、ガイド体７と下レール８とを省略して、下ガイドレール５とガイドバー４との組み合わせのみとすることも可能である。
【００１７】
また図６に示すように、吊り戸本体２をその１枚分だけ開く方向に動かすと、ガイドバー４が縦枠部６ｂの下面６ｂ1に当接して吊り戸本体２を開いた位置で保持でき、吊り戸本体２がそれ以上開いてしまうのを防止できるようになる。これにより、ガイドバー４は吊り戸本体２のストッパーとしての機能も有することとなる。
【００１８】
また上記下ガイドレール５内にガイドバー４を挿入するにあたっては、例えば、最初に下ガイドレール５を地板２１の下面又は台輪２２の前面に両面テープにて仮止めして、フラットバー２６をネジ止めする。その後、ガイドバー４を挿入し、ガイドバー４がスライド可能な状態かどうかを見ながら下レール８を微調整して、下レール８をネジ止めする。これにより、下ガイドレール５に対するガイドバー４の組み付けを容易且つ安価で行うことができる。さらに、下ガイドレール５と下レール８とは地板２１の下面に取り付けられて下向きに開口しているため、内部に塵粉や異物が入り込む心配がなく、吊り戸本体２の円滑なガイド機能を長期に亘って持続できるものである。また、下ガイドレール５に取り付けられるフラットバー２６及び下レール８を利用して、ガイドバー４を下方から支えるようにしたので、部品点数の増加を防止しながら、ガイドバー４の円滑な支持効果が得られ、低コストで簡単にガイドバー４の振れ止め効果を高めることができるものである。
【００１９】
尚、前記実施形態では建具としてキャビネット２０を例示したが、キャビネット２０以外の他の建具類に広く適用可能である。
【００２０】
【発明の効果】
上述のように請求項１記載の発明にあっては、上端部が上レールに吊り下げられた吊り戸本体の下端部に振れ止め用のガイドバーの一端側を取り付け、ガイドバーの他端側を吊り戸本体の下端部における戸当たり面側と反対側の側端面から吊り戸本体の横幅と略同じ寸法で突出させると共に、このガイドバーの突出部分を建具側に設置された下ガイドレールにスライド自在に挿入してなるので、吊り戸本体を閉じた位置では、ガイドバーが下ガイドレールにスライド自在に挿入された状態にあり、しかもガイドバーの挿入深さは吊り戸本体の横幅と略同じ寸法となっているため、吊り戸本体を閉じた状態でも下ガイドレールによるガイド機能が発揮され、吊り戸本体を確実に振れ止めできるようになる。従って、従来のような吊り戸本体の戸当たり面側でのガタツキを防止できる結果、縦枠部と吊り戸本体とが擦れて縦枠部に傷がつく心配がなくなると共に、ガタツキ音の発生も防止できる。そのうえ、ガイドバーによって吊り戸本体を補強できという効果も得られ、吊り戸本体の円滑な開閉動作を長期に亘って持続できるものである。
【００２１】
また請求項２記載の発明は、請求項１記載の効果に加えて、吊り戸本体を開いた位置でガイドバーの先端が戸枠の戸当たり側と反対側の縦枠部に当接するように構成されているので、吊り戸本体をその１枚分だけ開く方向に動かすと、ガイドバーが縦枠部に当接して吊り戸本体を開いた位置で保持でき、吊り戸本体がそれ以上開いてしまうのを防止できるようになる。これにより、ガイドバーは吊り戸本体のストッパーとしての機能も果すことができ、部品点数の増加を抑えながら、吊り戸本体の開き位置を簡単かつ安価に決めることができるものである。
【００２２】
また請求項３記載の発明は、請求項１又は請求項２記載の効果に加えて、吊り戸本体の下端部にガイド体を取り付け、このガイド体を下ガイドレールと並設された別の下レールにスライド自在に挿入したので、ガイドバーとは別のガイド体と下ガイドレールとは別の下レールとで、吊り戸本体の振れ止め効果を一層高めることができる。
【図面の簡単な説明】
【図１】本発明の実施形態の一例を示す側面断面図である。
【図２】同上の吊り戸ユニットの正面図である。
【図３】（ａ）は同上の吊り戸本体の側面図、（ｂ）は斜視図である。
【図４】（ａ）は同上のガイドバーの正面図、（ｂ）は底面図、（ｃ）は側面図である。
【図５】（ａ）は同上の下ガイドレールの側面図、（ｂ）は下ガイドレールの取り付け状態の説明図である。
【図６】同上の吊り戸本体を開いた状態の正面図である。
【図７】従来例の吊り戸ユニットの正面図である。
【図８】（ａ）は従来例の下レールを説明する側面図、（ｂ）はガイドプレートの平面図、（ｃ）はガイドプレートの正面図である。
【符号の説明】
１  吊り戸ユニット
２  吊り戸本体
２ａ  戸当たり面
２ｂ  側端面
３  上レール
４  ガイドバー
４ａ  一端
４ｂ  他端
４ｃ  突出部分
４ｄ  先端
５  下ガイドレール
６  戸枠
６ａ  縦枠部
６ｂ  戸当たり側と反対側の縦枠部
７  ガイド体
８  下レール
３５  通路部
Ｂ  吊り戸本体の横幅
【図１】
0003756787.tif 000002
【図２】
0003756787.tif 000003
【図３】
0003756787.tif 000004
【図４】
0003756787.tif 000005
【図５】
0003756787.tif 000006
【図６】
0003756787.tif 000007
【図７】
0003756787.tif 000008
【図８】
0003756787.tif 000009